(57)【特許請求の範囲】
【請求項１】
撮像レンズと、当該撮像レンズを保持するレンズバレルとを有する光学部、
上記撮像レンズを光軸方向に駆動するレンズ駆動部、および、
上記撮像レンズを通して入射された光を電気信号に変換する撮像素子と、上記撮像レンズと撮像素子との間に設けられた透光性部材とを有する撮像部を備えたカメラモジュールであって、
上記レンズ駆動部は、上記レンズ駆動部の底部を構成すると共に、上記撮像素子を内部に収容するベース部材を備えており、
上記ベース部材は、上記撮像レンズと対向する面に上記透光性部材を保持する保持部と、上記撮像素子の撮像面に当接する当接部とを有し、
上記保持部の側面と、上記透光性部材の側面との間に、上記光学部側が開放された隙間が形成されていることを特徴とするカメラモジュール。
【請求項２】
上記ベース部材には、光路を確保するための開口が形成されており、
上記保持部におけるベース部材の内側面が、上記当接部におけるベース部材の内側面よりも外側に設けられていることを特徴とする請求項１に記載のカメラモジュール。
【請求項３】
上記保持部の高さが、上記透光性部材の厚さよりも大きいことを特徴とする請求項１または２に記載のカメラモジュール。
【請求項４】
上記当接部は、上記撮像素子の撮像面の外周部全域に当接していることを特徴とする請求項１〜３のいずれか１項に記載のカメラモジュール。
【請求項５】
上記当接部は、上記撮像素子の側面にも当接していることを特徴とする請求項１〜４のいずれか１項に記載のカメラモジュール。
【請求項６】
上記ベース部材には、光路を確保するための開口が形成されており、
上記透光性部材は、上記開口を塞ぐように設けられていることを特徴とする請求項１〜５のいずれか１項に記載のカメラモジュール。
【請求項７】
請求項１〜６のいずれか１項に記載のカメラモジュールを備えた電子機器。
【発明の詳細な説明】
【技術分野】
【０００１】
本発明は、カメラモジュールおよびそれを備えた電子機器に関するものであって、特に薄型化と撮像レンズの位置合わせ精度の向上とを両立することのできるカメラモジュールおよびそれを備えた携帯電話等の電子機器に関するものである。
【背景技術】
【０００２】
近年の携帯電話は、カメラモジュールを組み込んだ機種が大半を占めるようになってきている。これらのカメラモジュールにおいては、レンズ駆動装置によってオートフォーカス機能を発揮するタイプのものが多く採用されている。レンズ駆動装置には、ステッピングモータを利用するタイプ、圧電素子を利用するタイプ、ＶＣＭ（Voice Coil Motor：ボイスコイルモータ）を利用するタイプなど、様々なタイプが存在し、すでに市場に流通している。
【０００３】
このようなオートフォーカス機能を有するカメラモジュールでは、通常、レンズを駆動するためのレンズ駆動装置、撮像素子を内部に収容するセンサカバー、および撮像素子が固定される回路基板等が積層された構造を有している。さらに、携帯電話は、薄型化および低価格化の要求が非常に高いため、携帯電話に搭載されるカメラモジュールも、この要求を満足する必要がある。
【０００４】
そこで、特許文献１には、薄型化および低価格化の要求に応え得るカメラモジュールが記載されている。図５は、特許文献１のカメラモジュール１００の断面図である。カメラモジュール１００は、撮像レンズ１０１を駆動するレンズ駆動装置１０２のベースと、撮像素子１０３を収容するセンサカバー（センサベース）とが一体化されたベース部材１０４を備えている。これにより、レンズ駆動装置１０２のベースとセンサカバーとを別々に構成した場合よりも、カメラモジュール１００の薄型化を実現することができる。さらに、部品点数の削減によって、製造コストの低減も実現することができる。
【０００５】
また、通常、カメラモジュール１００は、撮像に不要な赤外線をカットするために、ＩＲカットフィルタ１０５を備えている。図５に示すように、カメラモジュール１００では、ＩＲカットフィルタ１０５が、一体化されたベース部材１０４に設けられている。このような構成であれば、製造（組み立て）が完了したレンズ駆動装置１０２に対して、後からＩＲカットフィルタ１０５を取り付けるか、または、一体化されたベース部材１０４に予めＩＲカットフィルタ１０５を取り付けて、レンズ駆動装置１０２を製造することが可能となる。
【０００６】
一方、カメラモジュールにおいては、撮像素子に対する撮像レンズの位置（撮像素子から撮像レンズの距離）、および、撮像素子に対する撮像レンズの傾きは、撮像に大きな影響を及ぼす。具体的には、上記撮像レンズの位置および傾きを高精度に管理しないと、デフォーカスによりピンボケ画像となってしまう。
【０００７】
そこで、特許文献２には、撮像素子と撮像レンズとの距離を一定にすることのできるカメラモジュールが記載されている。図６は、特許文献２のカメラモジュール２００の断面図である。カメラモジュール２００は、撮像レンズ２０１を保持するレンズホルダ２０２の底部に、撮像素子２０３に当接する凸部２０４が形成されている。凸部２０４は、接着剤を介さずに、撮像素子２０３の上面に当接する部分である。これにより、撮像レンズ２０１と凸部２０４間の寸法を設定するだけで、撮像レンズ２０１と撮像素子２０３との距離を一定にすることができる。
【０００８】
このように、特許文献２のカメラモジュール２００は、撮像素子２０３の上面を基準として、レンズホルダ２０２が位置合わせされる。これにより、撮像素子２０３に対する撮像レンズ２０１の高さ位置および傾きを、高精度に設定することが可能となる。このため、レンズホルダ２０１にネジ部を形成したり、撮像レンズ２０１の位置を調整したりする作業が不要となる。従って、カメラモジュール２００の生産性を高めつつ、カメラモジュール２００を安価に製造することが可能となる。
【先行技術文献】
【特許文献】
【０００９】
【特許文献１】特開２００９−２７１４０５号公報（２００９年１１月１９日公開）
【特許文献２】特開２００７−２５９０６４号公報（２００７年１０月４日公開）
【発明の概要】
【発明が解決しようとする課題】
【００１０】
しかしながら、従来のカメラモジュールは、センサカバーと一体化されたベース部材を撮像素子に当接させると、撮像素子のサイズに制約を受けるという問題がある。
【００１１】
具体的には、図５のように、カメラモジュール１００では、ベース部材１０４に、光路を確保するための開口が形成されている。この開口のサイズは、入射した光がけられないように、光学仕様に応じた所定のサイズ以上の大きさが必要である。これにより、撮像レンズ１０１から入射した光が、撮像素子１０３まで到達する。また、ＩＲカットフィルタ１０５は、ベース部材１０４への接着強度を十分に確保するため、この開口を塞ぐように設けられている。
【００１２】
一方、図６のように、カメラモジュール２００では、レンズホルダ２０２が撮像素子２０３に当接しつつ、レンズホルダ２０２にＩＲカットフィルタ２０５が設けられている。このため、通常、撮像素子２０３に当接するレンズホルダ２０２の凸部２０４が、ＩＲカットフィルタ２０５よりも外側に配置される必要がある。そうしなければ、ＩＲカットフィルタ２０５を、レンズホルダ２０２に接着することができなくなる。従って、撮像素子２０３のサイズは、必然的に、ＩＲカットフィルタ２０５のサイズよりも、十分に大きくなくてはならない。このため、撮像素子２０３とＩＲカットフィルタ２０５とが同等のサイズである場合には、凸部２０４を撮像素子２０３の上面に当接させることができない。つまり、凸部２０４と撮像素子２０３との接触面積を十分に確保することができない。
【００１３】
従って、センサカバーと一体化されたベース部材１０４を備えた特許文献１のカメラモジュール１００に対して、撮像素子２０３に当接する凸部２０４を有する特許文献２のカメラモジュール２００を適用しようとしても、撮像素子１０３とＩＲカットフィルタ１０５とが同等のサイズである場合など、撮像素子１０３のサイズによっては適用できない場合がある。このように、特許文献１のカメラモジュール１００に特許文献２のカメラモジュール２００を適用すると、撮像素子１０３のサイズに制約を受けてしまう。
【００１４】
本発明は、上記従来の問題点に鑑みてなされたものであって、その目的は、レンズ駆動部のベース部材とセンサカバーとが一体化されたカメラモジュールにおいて、撮像素子のサイズに関係なく、ベース部材を撮像素子に当接させることのできるカメラモジュールおよびそれを備えた電子機器を提供することにある。
【課題を解決するための手段】
【００１５】
上記の課題を解決するために、本発明に係るカメラモジュールは、撮像レンズと、当該撮像レンズを保持するレンズバレルとを有する光学部、上記撮像レンズを光軸方向に駆動するレンズ駆動部、および、上記撮像レンズを通して入射された光を電気信号に変換する撮像素子と、上記撮像レンズと撮像素子との間に設けられた透光性部材とを有する撮像部を備えたカメラモジュールであって、上記レンズ駆動部は、上記レンズ駆動部の底部を構成すると共に、上記撮像素子を内部に収容するベース部材を備えており、上記ベース部材は、上記撮像レンズと対向する面に上記透光性部材を保持する保持部と、上記撮像素子の撮像面に当接する当接部とを有し、上記保持部の側面と、上記透光性部材の側面との間に、上記光学部側が開放された隙間が形成されていることを特徴としている。
【００１６】
上記の構成によれば、レンズ駆動部に設けられたベース部材が、透光性部材を保持部に保持すると共に、撮像素子を内部に収容する。つまり、ベース部材が、撮像素子を収容するセンサカバーと一体化された構成である。従って、ベース部材とセンサカバーとを別々に構成した場合よりも、カメラモジュールの薄型化を実現することができる。さらに、部品点数の削減によって、製造コストの低減も実現することができる。
さらに、上記の構成によれば、透光性部材が保持部に保持された状態で、透光性部材と保持部との間に隙間が形成される。つまり、透光性部材の外形よりも保持部の外形が大きくなっている。これにより、この隙間に異物を滞留させることができる。従って、レンズ駆動部内の異物が、撮像素子に落下するのを防止することができる。
【００１７】
さらに、上記の構成によれば、ベース部材の保持部が透光性部材を保持しつつ、ベース部材の当接部が撮像素子の撮像面（受光面）に当接している。しかも、保持部は、撮像レンズとの対向面に透光性部材を保持する。このため、たとえ、撮像素子のサイズ（外形）が、透光性部材のサイズ（外形）と同等のサイズであっても（透光性部材のサイズよりも大きくなくても）、当接部が撮像素子の上面に当接する。従って、撮像素子のサイズに関係なく、ベース部材を撮像素子に当接させることができる。
【００１８】
このように、上記の構成によれば、撮像素子のサイズに制約を受けることなく、ベース部材とセンサカバーとの一体化と、ベース部材を撮像素子に当接させる構造とを両立したカメラモジュールを提供することができる。
【００１９】
本発明のカメラモジュールにおいて、上記ベース部材には、光路を確保するための開口が形成されており、上記保持部におけるベース部材の内側面が、上記当接部におけるベース部材の内側面よりも外側に設けられていることが好ましい。
【００２０】
上記の構成によれば、保持部におけるベース部材の内側面が、当接部におけるベース部材の内側面よりも外側に（光軸から離れて）設けられている。言い換えれば、保持部における開口径が、当接部における開口径よりも大きくなっている。これにより、撮像素子のサイズが小さくても、撮像素子よりも大きいサイズの透光性部材を、保持部に設けることができる。従って、撮像素子のサイズが小さくても、ベース部材に透光性部材を保持しつつ、ベース部材を撮像素子に当接させることができる。
【００２１】
本発明のカメラモジュールにおいて、上記保持部の高さが、上記透光性部材の厚さよりも大きいことが好ましい。
【００２２】
上記の構成によれば、保持部の高さ（保持部の光軸方向の深さ）が、透光性部材の厚さよりも大きくなっている。これにより、透光性部材が、保持部から突出することはない。従って、透光性部材の破損を防止することができる。
【００２３】
本発明のカメラモジュールにおいて、上記当接部は、上記撮像素子の撮像面の外周部全域に当接していることが好ましい。
【００２４】
上記の構成によれば、当接部が撮像素子の撮像面の外周部全域に当接しているため、撮像素子との接触面積が広くなる。これにより、当接部が安定して撮像素子に当接する。従って、当接部の当接による撮像素子への圧力が分散され、撮像素子の破損リスクを低減できる。さらに、撮像素子上に異物が付着することを防ぐこともできる。
【００２７】
本発明のカメラモジュールにおいて、上記当接部は、上記撮像素子の側面にも当接していてもよい。
【００２８】
上記の構成によれば、当接部が撮像素子の上面と側面とに当接している。これにより、撮像素子に対するレンズ駆動部の位置合わせ精度が向上する。従って、撮像素子に対する撮像レンズの位置合わせ精度も向上させることができる。
【００２９】
本発明のカメラモジュールにおいて、上記ベース部材には、光路を確保するための開口が形成されており、上記透光性部材は、上記開口を塞ぐように設けられていることが好ましい。
【００３０】
上記の構成によれば、透光性部材が、ベース部材に形成された開口を塞いでいる。従って、レンズ駆動部内の異物が、撮像素子に落下するのを防止することができる。
【００３１】
本発明に係る電子機器は、上記の課題を解決するために、前記いずれかのカメラモジュールを備えることを特徴としている。従って、撮像素子のサイズに制約を受けることなく、ベース部材とセンサカバーとの一体化と、ベース部材を撮像素子に当接させる構造とを両立した電子機器を提供することができる。
【発明の効果】
【００３２】
以上のように、本発明に係るカメラモジュールおよび電子機器は、上記レンズ駆動部が、上記レンズ駆動部の底部を構成すると共に、上記撮像素子を内部に収容するベース部材を備えており、上記ベース部材は、上記撮像レンズと対向する面に上記透光性部材を保持する保持部と、上記撮像素子の撮像面に当接する当接部とを有し、上記保持部の側面と、上記透光性部材の側面との間に、上記光学部側が開放された隙間が形成されている構成である。それゆえ、撮像素子のサイズに制約を受けることなく、ベース部材とセンサカバーとの一体化と、ベース部材を撮像素子に当接させる構造とを両立したカメラモジュールおよびそれを備えた電子機器を提供することができるという効果を奏する。
【図面の簡単な説明】
【００３３】
【図１】本発明の実施形態に係るカメラモジュールの斜視図である。
【図２】図１のカメラモジュールのＡ−Ａ線矢視断面図である。
【図３】本発明の別の実施の形態に係るカメラモジュールの断面図である。
【図４】センサカバーと一体化されたベース部材を備え、ベース部材における撮像素子との対向面に透光性部材が保持された従来のカメラモジュールの断面図である。
【図５】特許文献１のカメラモジュールの断面図である。
【図６】特許文献２のカメラモジュールの断面図である。
【発明を実施するための形態】
【００３４】
以下、本発明の実施の形態について、図１〜図３に基づいて説明する。また、比較のために、従来のカメラモジュールに問題が生じることを示す図４も用いることとする。
（カメラモジュール１０の全体構造）
図１は、本実施形態のカメラモジュール１０の斜視図である。カメラモジュール１０は、撮像光学系である光学部１、光学部１を駆動するレンズ駆動部（レンズ駆動装置）２、および、光学部１を経由した光の光電変換を行う撮像部３から構成されている。カメラモジュール１０は、撮像部３上に、光学部１を内部に保持するレンズ駆動部２が積層された構成である。以下の説明では、便宜上、光学部１側を上方、撮像部３側を下方とする。
【００３５】
（光学部１）
次に、図２に基づいて、カメラモジュール１０の各部の構成について説明する。図２は、図１のカメラモジュール１０のＡ−Ａ線矢視断面図であり、カメラモジュール１０の中央部を光軸方向に切断した断面図である。
【００３６】
光学部１は、被写体像を形成する撮像光学系であり、外部の光を撮像部３の受光部へ導く。光学部１は、複数（図２では４枚）の撮像レンズ１１と、撮像レンズ１１を保持するレンズバレル１２とから構成される。レンズバレル１２は、レンズ駆動部２に固定されている。撮像レンズ１１の光軸は、レンズバレル１２の軸心と一致している。
【００３７】
（レンズ駆動部２）
レンズ駆動部２は、電磁力によって、光学部１を光軸方向に駆動する。すなわち、レンズ駆動部２は、無限遠端からマクロ端までの間で、撮像レンズ１１を上下動させる（光軸方向に駆動させる）。カメラモジュール１０では、ＶＣＭタイプのレンズ駆動部２が搭載されている。これにより、カメラモジュール１０が、オートフォーカス機能を発揮する。
【００３８】
なお、撮像レンズ１１の無限遠端とは、無限遠にある被写体に対して合焦する位置を意味し、撮像レンズ１１のマクロ端とは、所望のマクロ距離（たとえば１０ｃｍ）にある被写体に対して合焦する位置を意味する。
【００３９】
レンズ駆動部２は、撮像レンズ１１の駆動時に、光軸方向に移動して光学部１（撮像レンズ１１）を光軸方向に移動させる可動部と、撮像レンズ１１の駆動時に位置が変動しない固定部とを備えている。可動部は、固定部の内部に収容されている。可動部は、レンズホルダ２１およびコイル２２から構成されており、固定部は、ヨーク２３、永久磁石（マグネット）２４、カバー２５およびベース部材２６から構成されている。
【００４０】
具体的には、レンズ駆動部２は、レンズバレル１２を内部に保持するレンズホルダ２１が、ベース部材２６とヨーク２３とカバー２５とにより形成された空間内に、収容された構成となっている。
【００４１】
レンズホルダ２１は、撮像レンズ１１を保持したレンズバレル１２を、内部に保持している。レンズバレル１２およびレンズホルダ２１は、いずれも中空（円筒）形状の部材である。本実施形態では、レンズバレル１２の外側面、および、レンズホルダ２１の内側面には、ねじ切りが施されておらず、平坦である。しかしながら、平坦であることに限定される訳ではなく、レンズバレル１２の外側面、および、レンズホルダ２１の内側面にねじ切りを施してもかまわない。また、レンズバレル１２とレンズホルダ２１との接着強度を高めるために、レンズバレル１２の外側面およびレンズホルダ２１の内側面の一方あるいは両方に凹部を形成してもよい。ねじ切りが施されている場合は、ねじを回すことによりフォーカス調整が可能である。ねじ切りが施されていない場合は、円筒面を摺動させることによりフォーカス調整を実施してもよいし、部品の高精度化を図ることによってフォーカス調整を行わない組み立てでもかまわない。本実施形態では、フォーカス調整を行わないことを想定して、レンズホルダ２１の底面に形成された突起部２１ａがベース部材２６上に当接した状態において、同様にレンズバレル１２もベース部材２６上に当接するように固定されている。
【００４２】
レンズホルダ２１の内径は、レンズバレル１２の外径よりもやや大きく、レンズホルダ２１の中央に、レンズバレル１２が装着される。レンズホルダ２１の軸心は、撮像レンズ１１の光軸およびレンズバレル１２の軸心に一致している。レンズホルダ２１とレンズバレル１２との固定には図示しない接着剤が用いられており、レンズバレル１２をレンズホルダ２１に装着した後、接着される。接着剤としては、例えば、熱硬化型のＵＶ接着剤、または、嫌気性のＵＶ接着剤を用いるのが好ましい。
【００４３】
コイル２２は、レンズホルダ２１の外周端部に固定されており、レンズホルダ２１の底部から上方に設けられている。
【００４４】
ヨーク２３は、角筒状の部材であり、ベース部材２６上に固定されている。ヨーク２３は、内部に、可動部（レンズホルダ２１，コイル２２）を収容する。ヨーク２３は、レンズ駆動部２の側面部を構成するとともに、その一部が対向ヨーク２３ａとして、レンズホルダ２１とコイル２２の隙間にまで伸びて配置されている。対向ヨーク２３ａは、磁気効率を高める役割を果たしている。
【００４５】
永久磁石２４は、コイル２２と対向するように、ヨーク２３の内側面に固定されている。カメラモジュール１０では、ヨーク２３と永久磁石２４とにより磁気回路が形成される。
【００４６】
ヨーク２３の天面部（上部）には、樹脂製のカバー２５が設けられている。カバー２５は、レンズ駆動部２の上部（天面）を構成している。カバー２５の中央部には、光路を確保するために開口２５ａが形成されている。なお、ヨーク２３自体が、カバーの役割を果たすことで、カバー２５を省略してもかまわない。
【００４７】
ベース部材２６は、レンズ駆動部２の底部を構成している。ベース部材２６の中央部には、光路を確保するために、光軸方向に開口２６ａが形成されている。また、ベース部材２６の上面の一部に、溝２６ｂが形成されている。カメラモジュール１０では、溝２６ｄは、コイル２２と永久磁石２４との隙間部分に対向する位置（コイル２２および永久磁石２４の直下）に形成されている。さらに、この溝２６ｂ内に、ダストトラップ材２７が設けられている。カメラモジュール１０では、カバー２５に開口２５ａが形成されているため、外部から侵入した異物が、ベース部材２６上にまで落下してくる可能性がある。しかし、溝２６が形成されているため、落下した異物を溝２６ｄで受けることができる。これにより、異物が光路内に移動するのを防ぐことができる。さらに、溝２６ｄには、粘着性を有するダストトラップ材２７が充填されているため、溝２６ｄに落下してきた異物を、溝２６から外にさらに出しにくくしている。なお、溝２６ｂの形成部位は、ベース部材２６の上面であれば、特に限定されるものではない。ベース部材２６の特徴的構成については、後述する。
【００４８】
また、本実施形態のレンズ駆動部２では、レンズホルダ２１の上下面（天面および底面）には、板ばね２８ａ，２８ｂが設けられており、可動部を光軸方向に移動可能に支持している。
【００４９】
なお、図２のように、カメラモジュール１００の組み立て状態では、レンズホルダ２１の底面に形成された突起部２１ａが、ベース部材２６に当接しつつ、板ばね２８ａ，２８ｂの弾性力により、レンズホルダ２１は下方向に与圧がかけられている。
【００５０】
このようなレンズ駆動部２は、コイル２２と永久磁石２４とにより発生させた電磁力により、撮像レンズ１１を光軸方向に駆動する。具体的には、本実施形態では、永久磁石２
４によって形成される磁場中のコイル２２に電流を流すことで発生する力（電磁力）によって、撮像レンズ１１（レンズホルダ２１）を光軸方向に駆動することが可能となる。
【００５１】
なお、本実施形態では、ボイスコイルモータ（ＶＣＭ）タイプのレンズ駆動部２である。しかし、レンズ駆動部２は、ＶＣＭタイプに限定されるものではない。例えば、ステッピングモータを利用するタイプ、圧電素子を利用するタイプなど、種々の方式のレンズ駆動部も適用することができる。
【００５２】
また、ダストトラップ材２７は、粘着性を有するものであれば、特に限定されるものではないが、例えば、半固体状（または固体に近い状態）の油脂や樹脂を適用することができる。例えば、グリースが好適である。グリースは、半固体状または液体に近い、油脂の一種であり、例えば、半固体状（または固体に近い状態）、または、ペースト状の潤滑剤から構成することができる。グリースは、例えば、二硫化モリブデン系潤滑剤，白色系潤滑剤，シリコーン系潤滑剤，パーフルオロポリエーテル系潤滑剤などを用いることができる。また、グリースは、鉱油を主成分とする鉱油系グリース，ポリα−オレフィン油を主成分とするポリα−オレフィン系グリース，シリコーンオイルを主成分とするシリコーン系グリース，フルオロシリコーン系グリース，パーフルオロポリエーテルを主成分とするパーフルオロポリエーテル系グリースなどを用いることができる。これらのグリースは、単独または２種以上を混合して用いることができる。また、グリースは、例えば、リチウム石鹸，カルシウム石鹸，ポリテトラフルオロエチレン（ＰＴＦＥ）など、グリース用の添加物を含むものであってもよい。
【００５３】
なお、レンズ駆動部２には、図示しないシールドケース（磁気遮蔽板）を設けてもよい。これにより、カメラモジュール１０がシールド構造を有するようになるため、カメラモジュール１０からの電磁波ノイズの放射を防止または低減することが可能となる。
【００５４】
（撮像部３）
撮像部３は、光学部１によって形成される被写体像を、電気信号に変換する。つまり、撮像部３は、光学部１を経由した光を光電変換するセンサデバイスである。撮像部３は、撮像素子３１、基板３２、および透光性部材３３から構成されている。撮像素子３１は、基板３２上に実装されている。また、透光性部材３３は、撮像素子３１と対向して配置され、ベース部材２６に保持されている。
【００５５】
撮像素子３１は、レンズ駆動部２で形成された被写体像を、電気信号に変換する素子である。つまり、レンズ駆動部２の撮像レンズ１１を通して受光した光信号を電気信号に変換するセンサデバイスである。撮像素子３１は、例えば、ＣＣＤ（charge coupled device：電荷結合デバイス）またはＣＭＯＳ（Complementary Metal-Oxide-Semiconductor：相補性金属酸化膜半導体）センサＩＣである。撮像素子３１の表面（上面）には、複数の画素がマトリクス状に配置された受光部（図示せず）が形成されている。この受光部は、レンズ駆動部２から入射される光を結像する領域であり、画素エリアとも言い換えられる。
【００５６】
基板３２は、図示しないパターニングされた配線を有する。この配線によって、基板３２と撮像素子３１とが互いに電気的に接続される。基板３２は、例えば、プリント基板またはセラミック基板などである。基板３２には、図示しない撮像素子３１周辺の回路部品も搭載している。回路部品は、基板３２の表面に搭載されていてもよいし、基板３２の内部に内蔵されていてもよい。
【００５７】
透光性部材３３は、撮像レンズ１１と撮像素子３１との間に配置されている。透光性部材３３は、撮像素子３１と対向して配置され、撮像素子３１の受光部を覆っている。透光性部材３３は、撮像素子３１で受光すべき光を透過する性質を有しさえすれば、どのよう
な材料から形成されていてもよい。例えば、透光性部材３３は、ガラス（ガラス基板）などから構成することができる。なお、本実施形態では、透光性部材３３の表面には、撮像に必要のない赤外線を遮断するため、赤外線遮断膜（ＩＲカット膜）が形成されている。つまり、本実施形態において、透光性部材３３は、赤外線を遮断する機能を備えた、ＩＲカットフィルタである。透光性部材３３は、撮像素子３１と離間して設けられているため、レンズ駆動部２内に発生した異物、あるいは、レンズ駆動部２に内在する異物が、撮像素子３１の撮像面に落下するのを防ぐことができる。また、透光性部材３３上に異物が付着しても、その異物の影響（撮像素子３１への映りこみ）が小さい。
【００５８】
撮像部３は、撮像素子３１の受光部（画素エリア）に入射した光を結像することにより形成された被写体像を、電気信号に変換して、アナログの画像信号として出力する。つまり、この受光部で、光電変換が行われる。そして、撮像素子３１の動作は、基板３２に設けられた図示しないＤＳＰ（Digital Signal Processor：ディジタル信号処理装置）で制御され、撮像素子３１で生成された画像信号は、ＤＳＰで処理される。このように、撮像部３では、撮像素子３１に入射した光信号が光電変換され、変換された電気信号が基板３２を通って、図示しないカメラモジュールの制御回路等に入力され、画像信号として取り出される。
【００５９】
（カメラモジュール１０の特徴点および効果）
カメラモジュール１０が搭載される携帯電話等の電子機器には、薄型化および低価格化が要求されるため、カメラモジュール１０にも当然、薄型化および低価格化が要求される。さらに、カメラモジュール１０は、レンズ駆動部２によって、オートフォーカス機能を発揮する。このため、撮像素子３１に対する撮像レンズ１１の位置（撮像レンズ１１から撮像素子３１までの距離（焦点距離））を高精度に規定することも要求される。
【００６０】
そこで、カメラモジュール１０は、これらの要求を満たすために、特徴的なベース部材２６を備えている。具体的には、カメラモジュール１０は、基板３２上に実装された撮像素子３１上にレンズ駆動部２のベース部材２６が設けられた構成である。ベース部材２６は、レンズ駆動部２の底部を構成すると共に、撮像素子３１を内部に収容している。しかも、ベース部材２６が、透光性部材３３を保持する保持部２６１と、撮像素子３１の撮像面に当接する当接部２６２とを有している。
【００６１】
保持部２６１は、撮像レンズ１１と対向する面を有しており、この対向面に透光性部材３３が保持（載置）されている。保持部２６１は、ベース部材２６の内側部に形成されている。保持部２６１は、ベース部材２６の上面の一部に、光軸方向に形成された段差部であるといえる。このように、透光性部材３３が、撮像レンズ１１との対向面（ベース部材２６の上面）に設けられる点が、従来のカメラモジュールと大きく異なる。
【００６２】
一方、当接部２６２は、ベース部材２６の下面に形成された凸部であり、撮像素子３１の撮像面（受光面）に直接、当接している。当接部２６２は、撮像素子３１の受光部を避けて撮像素子３１に当接している。これにより、撮像素子３１を基準として、レンズ駆動部２（光学部１）が位置決めされる。つまり、当接部２６２が撮像素子３１の上面に当接する基準面となって、レンズ駆動部２（光学部１）が位置決めされる。
【００６３】
このように、カメラモジュール１０は、レンズ駆動部２に設けられたベース部材２６が、透光性部材３３を保持部２６１に保持すると共に、撮像素子３１を内部に収容する。つまり、ベース部材２６が、撮像素子３１を収容するセンサカバーと一体化された構成である。このため、ベース部材２６がセンサカバーとしても機能する。従って、ベース部材２６とセンサカバーとを別々に構成した場合よりも、カメラモジュール１０の薄型化を実現することができる。さらに、部品点数の削減によって、製造コストの低減も実現すること
ができる。
【００６４】
さらに、ベース部材２６の保持部２６１が透光性部材３３を保持しつつ、ベース部材２６の当接部２６２が撮像素子３１の撮像面（受光面）に当接している。しかも、保持部２６１は、撮像レンズ１１との対向面に透光性部材を保持する。このため、たとえ、図２のように、撮像素子３１のサイズ（外形）が、透光性部材３３のサイズ（外形）と同等のサイズであっても（透光性部材３３のサイズよりも大きくなくても）、当接部２６２が撮像素子の上面に当接する。従って、撮像素子３１のサイズに関係なく、ベース部材２６を撮像素子３１に当接させることができる。つまり、当接部２６２は、レンズ駆動部２を撮像素子３１に搭載する際の基準面（搭載面）とすることができる。この場合、レンズ駆動部２の搭載高さは、撮像素子３１上に接した当接部２６２によって決まる。このため、ベース部材２６の底面と、基板３２との間には若干の隙間が設けられており、この隙間に接着剤４１が充填されている。
【００６５】
一方、図４は、センサカバーと一体化されたベース部材３２６を備え、ベース部材３２６における撮像素子３３１との対向面に透光性部材３３３が保持された従来のカメラモジュール３００の断面図である。つまり、カメラモジュール３００は、特許文献１のカメラモジュール１００に、特許文献２のカメラモジュール２００を適用した構成といえる。図４も、図２と同様カメラモジュール３００の中央断面図であり、撮像素子３３１と透光性部材３３３とが同等のサイズとなっている。
【００６６】
カメラモジュール３００では、透光性部材３３３は、ベース部材３２６における撮像素子３３１との対向面に保持（接着）されている。このため、撮像素子３３１と透光性部材３３３とが同等のサイズである場合、ベース部材３２６の下面側で撮像素子３３１上の搭載基準面となり、上述の当接部２６２に対応する凸部３２７は、透光性部材３３３よりも所定の隙間を確保した上で外側の位置に設けられる。この隙間は、カメラモジュール１０と同様に、透光性部材３３３をベース部材３２６に接着する際に接着剤を注入するためのものである。このようなカメラモジュール３００の場合、凸部３２７の位置が必然的に撮像素子３１の外側となってしまうため、凸部３２７を撮像素子３３１上に配置することができない。従って、撮像素子３３１のサイズが透光性部材３３３と同等かそれ以下の場合、ベース部材３２６を撮像素子３３１に当接させることができない。つまり、凸部３２７は、レンズ駆動部３０２を撮像素子３３１に搭載する際の基準面（搭載面）とすることができない。
【００６７】
このように、本実施形態によれば、レンズ駆動部２のベース部材２６とセンサカバーとが一体化されたカメラモジュール１０において、撮像素子３１のサイズに関係なく、ベース部材２６を撮像素子３１に当接させることができる。
【００６８】
カメラモジュール１０において、撮像素子３１と透光性部材３３とが同等のサイズであるため、保持部２６１におけるベース部材２６の内側面が、当接部２６２におけるベース部材２６の内側面よりも外側に設けられている。言い換えれば、保持部２６１における開口径が、当接部２６２における開口径よりも大きくなっている。これにより、撮像素子３１のサイズが小さくても、撮像素子３１よりも大きいサイズの透光性部材３３を、保持部２６１に設けることができる。従って、撮像素子３１のサイズが小さくても、ベース部材２６に透光性部材３３を保持しつつ、ベース部材２６を撮像素子３１に当接させることができる。
【００６９】
なお、透光性部材３３は、少なくとも撮像素子３１の受光部を覆っていればよい。このため、保持部２６１におけるベース部材２６の内側面が、当接部２６２におけるベース部材２６の内側面よりも内側に設けられていてもよい。この場合も、ベース部材２６に透光
性部材３３を保持しつつ、ベース部材２６を撮像素子３１に当接させることができる。
【００７０】
また、カメラモジュール１０において、保持部２６１の高さ（深さ）は、特に限定されるものではないが、保持部２６１の高さが、透光性部材３３の厚さよりも大きいことが好ましい。上述のように、透光性部材３３は、ガラス等の材料で構成されている。このため、レンズバレル１２やレンズホルダ２１が透光性部材３３に衝突すると、破損する可能性がある。そこで、保持部２６１の高さ（保持部２６１の光軸方向の深さ）が、透光性部材３３の厚さよりも大きくなっていれば、透光性部材３３が、保持部２６１から突出することはない。従って、透光性部材３３の破損を防止することができる。
【００７１】
また、カメラモジュール１０において、当接部２６２は、撮像素子３１の撮像面の少なくとも一部に当接していればよいが、撮像素子３１の外縁部の全域に当接していることが好ましい。言い換えれば、当接部２６２と撮像素子３１との接触面積は特に限定されるものではないが、その接触面積が広いことが好ましい。当接部２６２が撮像素子３１に点接触に近い状態で当接している場合、つまり、当接部２６２と撮像素子３１との接触面積が狭い場合、カメラモジュール１０の落下時等の衝撃によって、当接部２６２がつぶれたり、その衝撃が撮像素子３１の特定の部分に圧力を加え、撮像素子３１が破損したりする虞がある。これに対し、当接部２６２が撮像素子３１の外縁部の全域に当接している場合、当接部２６２と撮像素子３１との接触面積が最も広くなる。つまり、当接部２６２と撮像素子３１とが面接触し、接触面積が最も広くなる。これにより、当接部２６２が安定して撮像素子３１に当接する。従って、当接部２６２の当接による撮像素子３１への圧力が分散され、撮像素子３１の破損リスクを低減できる。さらに、当接部２６２が撮像素子３１の外縁部の全域に当接している場合、撮像素子３１上に異物が付着することを防ぐこともできる。一方、当接部２６２が撮像素子３１の撮像面の一部に当接する場合、当接部２６２が撮像素子３１の外縁部の全域に当接する場合よりも、撮像素子３１との接触面積が制限される。例えば、当接部２６２が、撮像素子３１と３点で接触するような島状の突起から構成されている場合、当接部２６２と撮像素子との接触面積が制限される。この場合、撮像素子３１の破損リスクは、当接部２６２が撮像素子３１の外縁部の全域に当接する場合ほど、低減することはできない。しかし、撮像素子３１に対するレンズ駆動部２の位置合わせ精度を向上させることができる。従って、撮像素子３１に対する撮像レンズ１１の位置合わせ精度も向上させることができる。
【００７２】
また、カメラモジュール１０では、透光性部材３３と、保持部２６１との間に隙間２９が形成されていることが好ましい。言い換えれば、透光性部材３３の側面と、保持部２６１におけるベース部材２６の内側面（内壁面）との間に、若干の隙間２９が形成されていることが好ましい。これにより、保持部２６１におけるベース部材２６の内径が、透光性部材３３の外径よりも大きくなる。このため、透光性部材３３が保持部２６１に保持された状態で、透光性部材３３と保持部２６１との間に隙間２９が形成される。つまり、透光性部材３３の外形よりも保持部２６１の外形が大きくなっている。これにより、この隙間２９に異物を滞留させることができる。従って、レンズ駆動部２内の異物が、撮像素子３１に落下するのを防止することができる。また、この隙間２９は、保持部２６１に透光性部材３３を接着する際に、接着剤４２を充填するためのノズルを入り込むスペースにもなる。これにより、この隙間２９に容易に接着剤４２を充填することができ、透光性部材３３の接着強度を高めることもできる。
【００７３】
また、カメラモジュール１０では、透光性部材３３がベース部材２６に形成された開口２６ａよりも大きい。つまり、透光性部材３３が、開口２６ａを完全に塞ぐ（覆う）ことのできるサイズを有している。従って、レンズ駆動部２内の異物が、撮像素子３１に落下するのを防止することができる。さらに、透光性部材３３をベース部材２６の保持部２６１に固定するための接着剤４２が開口２６ａから流れ落ちるリスクも防止できるとともに
、保持部２６１への透光性部材３３の接着面積を多く確保することができる。
【００７４】
一方、図３は、本発明の別の実施の形態に係るカメラモジュール１０ａの断面図である。カメラモジュール１０ａは、ベース部材２６が図２のカメラモジュール１０と異なる以外は、カメラモジュール１０と同様の構成である。具体的には、図２のカメラモジュール１０では、ベース部材２６の当接部２６２が撮像素子３１の撮像面（上面）にのみ当接している。これに対し、図３のカメラモジュール１０ａでは、ベース部材２６の当接部２６２が撮像素子３１の撮像面に加えて、撮像素子３１の側面にも当接している。これにより、撮像素子３１に対するレンズ駆動部２の位置合わせ精度が向上する。従って、撮像素子３１に対する撮像レンズ１１の位置合わせ精度も向上させることができる。なお、カメラモジュール１０ａにおいて、当接部２６２は、撮像素子３１の撮像面に当接すると共に、撮像素子３１の側面の少なくとも一部に（部分的に）当接していればよいが、撮像素子３１の側面の全域に当接していることが好ましい。これにより、撮像素子３１に対する撮像レンズ１１の位置合わせ精度を一層向上させることができる。
【００７５】
以上のように、本発明によれば、撮像素子３１のサイズに制約を受けることなく、ベース部材２６とセンサカバーとの一体化と、ベース部材２６を撮像素子３１に当接させる構造とを両立したカメラモジュール１０を提供することができる。
【００７６】
なお、本発明は、以下のように表現することもできる。
〔１〕本発明のカメラモジュールは、撮像レンズと、当該撮像レンズを保持するレンズバレルとを有する光学部と、上記撮像レンズを光軸方向に動かすレンズ駆動部と、上記撮像レンズを通して入射された光を電気信号に変換する撮像素子と、当該撮像素子の少なくとも端部を覆うセンサカバーとを有する撮像部とを備えたカメラモジュールであって、上記レンズ駆動部のベース部材と上記センサカバーとが一体的に構成され、ＩＲカットフィルターが、上記一体化されたベース部材とセンサカバーの撮像レンズ側の面に設けられている構成であってもよい。上記の構成によれば、上記センサカバーの撮像素子側の面に設けられる基準面（凸部）の位置がＩＲカットフィルターのサイズに左右されることなく、開口部のサイズ等に基づいて設定することが可能であり、ベース部材とセンサカバーとの一体化構造とチップ当て構造とを両立したカメラモジュールを提供することができる。つまり、レンズ駆動部のベース部材とセンサカバーとを一体化した構造に対してチップ当て構造を適用した場合でも、撮像素子の大きさに対する制限を緩和し、小さな撮像素子の場合にもベース部材とセンサカバーとの一体化構造とチップ当て構造とを両立できるようにすることができる。また、チップ当て構造を採用した場合でも、ベース部材の下側の基準面となる凸部を直接、撮像素子上に載置することも可能となる。
【００７７】
〔２〕上記カメラモジュールでは、上記センサカバーの撮像素子側の面に凸部が設けられ、上記凸部が撮像素子面に当接した構造であってもよい。上記の構成によれば、一体化構造による部品点数削減効果とともに、チップ当て構造による高精度化の効果の両方を得ることが可能であり、これらを両立するための撮像素子に対する制限を緩和したカメラモジュールを提供することができる。
【００７８】
〔３〕上記カメラモジュールでは、上記一体化されたベース部材とセンサカバーの一部に開口が設けられ、ＩＲカットフィルターは上記開口部を完全に塞ぐように設置されていてもよい。上記の構成によれば、ＩＲカットフィルターの防塵効果も阻害することなく、カメラモジュールを構成することが可能となる。
【００７９】
〔４〕上記カメラモジュールでは、上記凸部が、上記ＩＲカットフィルターの外形サイズに対して所定の隙間を有するように設けられていてもよい。上記の構成によれば、ＩＲカットフィルターの周囲に隙間を確保することができるため、ＩＲカットフィルターの接
着作業が容易になる。
【００８０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００８１】
本発明は、特に、携帯用端末などの通信機器をはじめとする各種電子機器に搭載されるカメラモジュールに好適に利用することができる。
【符号の説明】
【００８２】
１    光学部
２    レンズ駆動部
３    撮像部
１０    カメラモジュール
１１    撮像レンズ
１２    レンズバレル
２６    ベース部材
２６ａ  開口
２９    隙間
３１    撮像素子
３３    透光性部材
２６１    保持部
２６２    当接部
【図１】
0005595786.tif 000002
【図２】
0005595786.tif 000003
【図３】
0005595786.tif 000004
【図４】
0005595786.tif 000005
【図５】
0005595786.tif 000006
【図６】
0005595786.tif 000007